(57)【特許請求の範囲】
【請求項１】
前後に前輪と後輪を支承した機体フレームに播種装置と作溝具とを設けた播種機において、前記播種装置を低位置で支持する低位置支持構造を備えると共に、
前記低位置支持構造は、前記機体フレームにおいて、前輪の支承部と後輪の支承部の少なくとも一方から播種装置に向かって下方に傾斜する傾斜部と、該傾斜部に略水平に連設する水平部とを有し、該水平部の少なくとも一部に前記播種装置を支持し、
該播種装置において圃場に種子を繰り出す繰出軸の位置を、前記前輪の支承部と、後輪の支承部の位置よりも、高低差を設けた低い位置に支持し、
前記作溝具の上部または直上方に、該作溝具内を通って播種溝に連通する開口を設け、該開口の直上近接空間に前記播種装置からの種子の繰出口を配置した
ことを特徴とする播種機。
【請求項２】
前記繰出口から開口にかけて、側面カバー部材を設けることを特徴とする請求項１に記載の播種機。
【請求項３】
前記作溝具には、側面視で後ろ斜め下方へ延びる閉塞下縁を設けた正面視Ｖ字状の作溝部を設けることを特徴とする請求項１または請求項２に記載の播種機。
【請求項４】
前記作溝部からは、左右一対の側板部を後方に二股状に開き、該側板部に、下方へ付勢状態にある覆土部材を支持することを特徴とする請求項３に記載の播種機。
【発明の詳細な説明】
【技術分野】
【０００１】
本発明は、前後に前輪と後輪を支承した機体フレームに播種装置と作溝具とを設けた播種機に関し、特に、前記播種装置における繰出口の高さ設定構成に関する。
【背景技術】
【０００２】
従来より、前輪と後輪を支承した機体フレームに播種装置と作溝具を設けた播種機においては、略水平に設けた機体フレーム上に播種装置を設け、該播種装置の下方に作溝具を配置し、該作溝具と、前記播種装置の繰出部に設けた繰出口との間を、筒体などのガイド部材によって連結することにより、前記繰出口から繰り出される種子を、このガイド部材を介し、作溝具により作溝された播種溝内に落下させる技術（例えば、特許文献１参照）が公知となっている。該技術によると、種子が落下途中に周囲に分散されることがなく、播種精度の向上を図ることができる。
【先行技術文献】
【特許文献】
【０００３】
【特許文献１】特開２００６−３４５７３３号公報
【発明の概要】
【発明が解決しようとする課題】
【０００４】
しかしながら、前記技術では、繰出口が作溝具より上方の高位置に離間して配置されているため、該繰出口から繰り出された種子は、下方の播種溝内に激しく衝突し、その際の反動で周囲に大きく転動する。このため、点播のように高い播種精度が要求される播種作業への対応が難しい、という問題があった。
【課題を解決するための手段】
【０００５】
本発明の解決しようとする課題は以上の如くであり、次にこの課題を解決するための手段を説明する。
請求項１においては、前後に前輪と後輪を支承した機体フレームに播種装置と作溝具とを設けた播種機において、前記播種装置を低位置で支持する低位置支持構造を備えると共に、前記低位置支持構造は、前記機体フレームにおいて、前輪の支承部と後輪の支承部の少なくとも一方から播種装置に向かって下方に傾斜する傾斜部と、該傾斜部に略水平に連設する水平部とを有し、該水平部の少なくとも一部に前記播種装置を支持し、該播種装置において圃場に種子を繰り出す繰出軸の位置を、前記前輪の支承部と、後輪の支承部の位置よりも、高低差を設けた低い位置に支持し、前記作溝具の上部または直上方に、該作溝具内を通って播種溝に連通する開口を設け、該開口の直上近接空間に前記播種装置からの種子の繰出口を配置したものである。
請求項２においては、請求項１記載の播種機において、前記繰出口から開口にかけて、側面カバー部材を設けるものである。
請求項３においては、請求項１または請求項２に記載の播種機において、前記作溝具には、側面視で後ろ斜め下方へ延びる閉塞下縁を設けた正面視Ｖ字状の作溝部を設けるものである。
請求項４においては、請求項３に記載の播種機において、前記作溝部からは、左右一対の側板部を後方に二股状に開き、該側板部に、下方へ付勢状態にある覆土部材を支持するものである。
【発明の効果】
【０００６】
本発明は、以上のように構成したので、以下に示す効果を奏する。
すなわち、請求項１により、圃場面近傍に播種装置を支持した上で、該播種装置の繰出口と播種溝との間に作溝具のみを介在させるようにして、前記繰出口から播種溝内までの落下距離を大幅に短縮することができる。これにより、種子が播種溝内に衝突する際の反動を小さくし、該反動による種子の周囲への転動を防止することができ、点播のように高い播種精度が要求される播種作業にも十分に対応できる。更に、この種子転動防止に加え、繰出口と播種溝との間のガイド部材を不要にして、部品コストの低減やメンテナンス性の向上を図ることができる。
また、前記播種機は、機体フレームの形状を変更するだけで播種装置を圃場面近傍の低位置で支持することができ、低位置支持のための部材を別途に設ける必要がなく、部品コストの低減とメンテナンス性の向上を更に図ることができる。
請求項２により、繰出口から開口まで落下中の種子が、外部から吹き込む横風や泥土などによって飛散するのを防止することができ、所定量の種子が播種溝内に確実に導入され、播種精度が更に向上する。
請求項３により、作溝部を正面視Ｖ字状とすることにより、播種溝の底部を狭幅に形成することができる。これにより、該播種溝内での種子の左右方向への転動を確実に防止して、播種精度が更に向上する。また、正面視Ｖ字状であることから、作溝部の上部ほど左右外方に張り出しており、しかも、側面視で後ろ斜め下方へ延びることから、閉塞下縁は圃場面に徐々に切り込んでいくため、播種溝からの排出土は、上昇することなく左右外方に向かって円滑に押し出される。これにより、側面視で後ろ斜め上方に延びる閉塞前縁によって作溝する従来の作溝具と比べ、作溝に伴う土の上昇流を抑制することができ、前記繰出部や開口が排出土によって閉塞するのを防止して、播種作業の作業性が向上する。
請求項４により、覆土部材を支持するための支持部材を別途に設ける必要がなく、該支持部材の設置空間を省略することができ、より低位置で前記播種装置を支持し、前記繰出口から播種溝内までの落下距離を一層短縮することができる。更に、覆土部材を下方へ付勢状態とすることにより、覆土効果も高めることができる。
【図面の簡単な説明】
【０００７】
【図１】本発明に係わる播種機１の全体構成を示す播種機１の側面図である。
【図２】同じく平面図である。
【図３】深さ調節具の側面図である。
【図４】作条爪を固設した繰出ベースを示す図であって、図４（ａ）は同じく平面図、図４（ｂ）は同じく側面図である。
【図５】播種ユニット１７の側面一部断面図である。
【図６】低位置支持構造１１６の説明図である。
【図７】別形態の播種機１Ａの全体構成を示す播種機１Ａの側面図である。
【図８】同じく平面図である。
【図９】作条爪を示す図であって、図９（ａ）は同じく平面図、図９（ｂ）は同じく側面図である。
【図１０】播種ユニット１７Ａの側面一部断面図である。
【図１１】低位置支持構造１４５の説明図である。
【発明を実施するための形態】
【０００８】
以下、本発明の実施の形態について詳細に説明する。なお、図１の矢印Ｆで示す方向を播種機１の前進方向とし、後述する播種機１Ａの場合も含め、以下で述べる各部材の位置や方向などはこの前進方向を基準とするものである。  
【０００９】
まず、本発明に関わる多条用で歩行型の播種機１について、その全体構成を図１、図２により説明する。該播種機１には、左右一対の機体フレーム２・３が配置され、このうちの左の機体フレーム２では、それを構成する前フレーム２ａと後フレーム２ｂが、連結軸４Ｌを中心にして上下に屈曲可能に連結され、同様に、右の機体フレーム３でも、それを構成する前フレーム３ａと後フレーム３ｂが、連結軸４Ｒを中心にして上下に屈曲可能に連結されている。そして、このうちの左右の前フレーム２ａ・３ａの前部間に、駆動ローラ５のローラ軸７が支承される一方、左右の後フレーム２ｂ・３ｂの後部間に、鎮圧ローラ６のローラ軸８が支承されている。
【００１０】
更に、該左右の後フレーム２ｂ・３ｂの前半部間には、前後に支持バー１１・１２が横架され、該支持バー１１・１２によって繰出ベース１３の前後端が支持されている。該繰出ベース１３の上面には、下部に繰出部１４ａを有する播種装置１４が搭載される一方、繰出ベース１３の下面には、後方に覆土板１６を支持した作条爪１５が固設されており、これら播種装置１４、繰出ベース１３、作条爪１５、及び覆土板１６等より、各条毎に播種ユニット１７が構成されている。該播種ユニット１７は、本実施例では、左右方向に略等間隔で４個列設され、該４個の播種ユニット１７から播種部９が形成される。
【００１１】
そして、該播種部９の後方で前記後フレーム２ｂ・３ｂの後部間には、操作部１０が配置され、該操作部１０は、上下のアーム部材３５・３６から成ると共に略鉛直上方に立設された正面視門型のハンドルアーム３４と、左右一対の補助ハンドル２５・２５とから構成される。一方、前記播種部９の前方で前フレーム２ａ・３ａと後フレーム２ｂ・３ｂとの間には、深さ調節具２６が配置され、該深さ調節具２６は、前後途中で上下に屈曲可能な前記機体フレーム２・３と一緒になって、後述する播種深さ調節機構６４を構成している。
【００１２】
また、前記後フレーム２ｂ・３ｂの前部間で、前記支持バー１１・１２の間には、入力軸２３が回動可能に横架されると共に、該入力軸２３は、後述する播種装置着脱構造２７内の伝達経路を介して、前記播種装置１４の繰出軸２４に連結される。そして、この入力軸２３の右端は、動力伝達経路１８を介して、前記鎮圧ローラ６のローラ軸８に連結されている。
【００１３】
ここで、該動力伝達経路１８においては、右の後フレーム３ｂの前後中央部外面に伝動ケース１９が固設され、該伝動ケース１９内の前部に、前記入力軸２３の右端が貫入され、該右端にスプロケット２１が外嵌固定される。同様に、前記伝動ケース１９内の後部に、前記ローラ軸８の右端が貫入され、該右端にスプロケット２０が外嵌固定されており、該スプロケット２０と前記スプロケット２１との間に、チェーン２２が巻回されている。  
【００１４】
これにより、播種機１が進行すると、鎮圧ローラ６が回転し、該鎮圧ローラ６の回転動力が、ローラ軸８、スプロケット２０、チェーン２２、スプロケット２１から入力軸２３に伝達され、播種装置１４の各繰出軸２４が駆動されて、圃場に種子が繰り出されるようにしている。
【００１５】
また、前記前フレーム２ａ・３ａの前部で、前記ローラ軸７の支承部２ａ２近傍からは、左右一対の支持フレーム２８Ｌ・２８Ｒが立設され、該支持フレーム２８Ｌ・２８Ｒの上端部間には、バッテリ台２９が横設されており、該バッテリ台２９上に、バッテリ３０が搭載される。
【００１６】
該バッテリ３０は、信号線３１を介して、前記上アーム部材３５の把持アーム部３５ａの左右略中央に設けたモータスイッチ３３に接続されると共に、信号線３２を介して、前記駆動ローラ５内に組み込んだ走行モータ３７に接続される。
【００１７】
これにより、ハンドルアーム３４の把持アーム部３５ａを把持しながらモータスイッチ３３を操作すると、該モータスイッチ３３からの信号により、バッテリ３０から走行モータ３７に電力が供給され、前輪である駆動ローラ５がモータ駆動されて播種機１が走行されるようにしており、前記走行モータ３７とバッテリ３０のいずれも駆動ローラ５側に集中配置された前重心・前輪駆動タイプの播種機１が構成されている。
【００１８】
このため、たとえ機体前方に段差があっても、ハンドルアーム３４を把持して後輪を浮かせた状態で、大きな荷重のかかった重い駆動ローラ５を回転駆動させながら段差に当接すると、該段差の表面に沿って駆動ローラ５を駆動前進させることができ、アクチュエータを用いず、また特別な操作も必要とせずに、播種機１が段差を容易に乗り越えることができる。
【００１９】
なお、前記駆動ローラ５において、その前方で左右の前フレーム２ａ・３ａ間には、泥落とし用の前スクレイパー３８が、駆動ローラ５の前部外周面に向かって突出されると共に、駆動ローラ５の上方には、バッテリ台２９の下面から、持ち運び用の平面視門形の把手５１が前方に突設されている。更に、前記鎮圧ローラ６の後方で後フレーム２ｂ・３ｂ間にも、泥落とし用の後スクレイパー３９が、鎮圧ローラ６の後部外周面に向かって突出されている。
【００２０】
また、前記操作部１０において、その下アーム部材３６では、前記ローラ軸８より後方の後フレーム２ｂ・３ｂから略鉛直上方に、左右の縦アーム部３６ｂ・３６ｂが前後回動可能に立設されると共に、該縦アーム部３６ｂ・３６ｂの上端間が、横アーム部３６ａによって連結されている。
【００２１】
そして、前記縦アーム部３６ｂ・３６ｂの上下途中部からは、左右一対のステー４１・４１が前方に突設され、該ステー４１・４１の前端部と、前記ローラ軸８より前方の後フレーム２ｂ・３ｂから上方に突出された左右一対の後突出部２ｂ１・３ｂ１との間は、ハンドル傾斜調節フレーム４０・４０を介して連結されている。この連結長さを、該ハンドル傾斜調節フレーム４０・４０の上端に設けた長孔４０ａ・４０ａを使って伸縮させることにより、前記ハンドルアーム３４を所定の前後傾斜角に調節できるようにしている。
【００２２】
前記上アーム部材３５では、パイプ状で上端が開口した前記縦アーム部３６ｂ・３６ｂ内に、上アーム部材３５を構成する縦アーム部３５ｂ・３５ｂが上から内挿されると共に、該縦アーム部３５ｂ・３５ｂの上端間は、前記把持アーム部３５ａによって連結される。
【００２３】
そして、縦アーム部３６ｂ・３６ｂの上端前部に設けたボルト４３・４３の螺挿進行により、上アーム部材３５を下アーム部材３６に締結固定し、ハンドルアーム３４の高さを所定の高さに調節できるようにしている。
【００２４】
このような調節構造を有するハンドルアーム３４には、前述した、左右一対の補助ハンドル２５・２５のハンドル固定具４４・４４が設けられている。該ハンドル固定具４４を構成する筒体４４ａの前部に設けたボルト５２の螺挿進行により、ハンドル固定具４４は、縦アーム部３５ｂに締結固定されて所定の高さに調節される。
【００２５】
そして、前記筒体４４ａの左右両側面から後方に延設される左右一対の側板４４ｂ・４４ｃ間には、側面視で前後中央上部と後下部に、それぞれ支点軸４５と回転規制軸４６とが横架され、このうちの支点軸４５に、前記補助ハンドル２５のパイプ状の本体部２５ａの前端部が、前後回動可能に軸支される。
【００２６】
以上のような構成により、補助ハンドル２５を位置４９まで垂下させ、前記ハンドルアーム３４の縦アーム部３５ｂに近接配置した上で、補助ハンドル２５の後方に前記回転規制軸４６を横架させておくことができる。これにより、播種機１を格納する際に補助ハンドル２５が邪魔になるような場合には、該補助ハンドル２５を、前記筒体４４ａの後部と回転規制軸４６の前部との間の空間に折りたたみ収納して、補助ハンドル２５の動きを制限することができる。
【００２７】
播種作業や運搬作業の場合は、前記回転規制軸４６を脱着し、把持部２５ｂを把持したまま、支点軸４５を中心にして補助ハンドル２５を位置４９から位置５０まで後方に引き上げた後、再び回転規制軸４６を横架する。
【００２８】
これにより、補助ハンドル２５を、前記側板４４ｂ・４４ｃの後部上端間を連結する天板４４ｄの下部と、回転規制軸４６の上部との間の空間に収納して保持し、補助ハンドル２５をハンドルアーム３４から略水平に展開できるようにしている。
【００２９】
このような補助ハンドル２５を用いて、例えば、方向転換作業を行う際には、補助ハンドル２５を把持して引き上げることにより、駆動ローラ５を支点に鎮圧ローラ６を上昇させ、播種機１を水平状態から前方に傾ける。続いて、この前傾姿勢のまま、補助ハンドル２５を把持し、駆動ローラ５を支点に播種機１を前方に１８０度旋回させる。その後、補助ハンドル２５を下降させてから播種機１を水平に復帰させることにより、方向転換作業が完了する。
【００３０】
すなわち、播種装置１４を備えた機体フレーム２・３の前後に前輪である駆動ローラ５と後輪である鎮圧ローラ６を配置し、前記駆動ローラ５側に、該駆動ローラ５を駆動する電動モータである走行モータ３７と、該走行モータ３７に電力を供給するバッテリ３０を搭載すると共に、前記鎮圧ローラ６近傍の機体フレーム２・３よりハンドルアーム３４を延設した播種機１において、前記ハンドルアーム３４に、補助ハンドル２５を略水平に設けることにより、前記駆動ローラ５を支点にした鎮圧ローラ６の上昇と機体の旋回を容易にした。これにより、重量の重い前重心・前輪駆動タイプの播種機１において、略水平に設けてあり把持し易い補助ハンドル２５を使うことにより、駆動ローラ５側を支点に鎮圧ローラ６を上昇させ、続いて機体を前方に傾けた状態で自在に旋回させることができ、鎮圧ローラ６の上昇操作と機体の旋回操作が小さな人力ですみ、段差越え作業や方向転換作業の作業負荷が減少し、その作業性が向上する。更に、播種装置１４の繰出軸２４を鎮圧ローラ６の回転動力によって駆動している場合、播種作業直後の方向転換作業中に、鎮圧ローラ６を圃場面から確実に浮かせておくことができ、鎮圧ローラ６が圃場面に誤って接触して回転し繰出軸２４が駆動されて種子９３が無駄に繰り出されるのを防止し、種子コストを削減することができる。  
【００３１】
更に、前記ハンドルアーム３４にハンドル固定具４４を設け、該ハンドル固定具４４に、前記補助ハンドル２５を回転可能に支持する支点軸４５と、該補助ハンドル２５を収納状態または展開状態に支持するストッパである回転規制軸４６とを近接して設けることにより、前記補助ハンドル２５を折りたたみ収納可能とするので、播種機１の格納時には、補助ハンドル２５を収納して、格納性を向上させることができる。更に、折りたたみ収納に必要な構造を小さくすることができ、前記ハンドル固定具４４のコンパクト化と部品コストの削減を図ることができる。
【００３２】
次に、前記播種深さ調節機構６４について、図１乃至図３により説明する。該播種深さ調節機構６４は、前述の如く、屈曲可能な前記機体フレーム２・３と深さ調節具２６とにより構成される。
【００３３】
ここで、前記左右の前フレーム２ａ・３ａの後部で、前記ローラ軸７と連結軸４Ｌ・４Ｒとの間には、左右の曲がり部２ａ１・３ａ１が上方に凸状に屈曲形成され、該曲がり部２ａ１・３ａ１の屈曲端間に前支軸６２が横架される一方、前記左右の後フレーム２ｂ・３ｂの前端部間には、後支軸６３が横架されている。そして、該後支軸６３の左右略中央部と前記前支軸６２の左右略中央部との間に、前記深さ調節具２６が介設されている。
【００３４】
該深さ調節具２６は、前半部に穿孔された横孔５７ａに前記前支軸６２が嵌入されたブロック状の第一連結部材５７と、下端部に穿孔された横孔５８ａに前記後支軸６３が嵌入されたパイプ状の第二連結部材５８と、該連結部材５７・５８間に介設された調節ハンドル５６とから構成される。
【００３５】
該調節ハンドル５６の軸部５６ｂは、前記第一連結部材５７の後半部に穿孔された縦孔５７ｂを上方から貫通し、該縦孔５７ｂ内に、軸部５６ｂの上下略中央が昇降不能かつ回動可能に支持されている。更に、軸部５６ｂの下端は、前記第二連結部材５８の上面に固定されたナット５９から、同じ第二連結部材５８の上半部の筒内に螺刻された縦ネジ孔５８ｂにかけて、螺挿されている。
【００３６】
このような構成により、前記調節ハンドル５６の側面視Ｌ字状のハンドル部５６ａを把持して回転し、前記軸部５６ｂの先端をナット５９から縦ネジ孔５８ｂにかけて上下方向に螺挿進行させ、第一連結部材５７と第二連結部材５８との間隔６５を伸縮することにより、前記連結軸４Ｌ・４Ｒを中心にして支軸６２・６３を上下方向に開閉することができる。
【００３７】
ここで、前記第一連結部材５７の後面にはボルト６１によってスケール６０が締結されており、該スケール６０の下半部に刻設した目盛り６０ａから、前記第二連結部材５８の上部に設けた基準線５８ｃの位置を読み取ることにより、播種深さの目安となるようにしている。なお、前記調節ハンドル５６の軸部５６ｂで第一連結部材５７よりも上方の部位には、スプリングピン１０５が半径方向に突設されており、回転した該スプリングピン１０５がスケール６０の上半部の板バネ部６０ｂに当接することにより、調節ハンドル５６の回り止めを可能としている。
【００３８】
更に、該支軸６２・６３は前記連結軸４Ｌ・４Ｒから十分に離間して配設されており、腕の長さを長くして、前記連結軸４Ｌ・４Ｒを支点としたモーメントを大きくすることができ、ハンドル部５６ａの回転に必要な人力が小さくてすみ、播種深さ調節作業の作業負荷が減少するようにしている。
【００３９】
従って、このような深さ調節具２６を用いて播種深さ調節作業を行う際には、深さ調節具２６の調節ハンドル５６を回転し、連結部材５７・５８間の間隔６５を伸張させることにより、屈曲角の角度６７は拡大し、後フレーム２ｂ・３ｂの前半部が前方に傾く。すると、該後フレーム２ｂ・３ｂに支持される前記繰出ベース１３が前方に傾倒し、該繰出ベース１３の上面に搭載した前記播種装置１４と一緒に、繰出ベース１３の下面に固設した作条爪１５も、前方に傾倒する。これにより、全ての播種ユニット１７において、作条爪１５の下端の位置７１が下方に移動し、播種深さの深さ６９が深くなって、播種深さ調節作業が完了する。
【００４０】
すなわち、機体フレーム２・３の前後に前輪である駆動ローラ５と後輪である鎮圧ローラ６を配置し、該駆動ローラ５と鎮圧ローラ６の間に、播種装置１４と作溝具である作条爪１５とを備える播種ユニット１７を左右方向に列設し、複数条に一括して播種を行う播種機１において、前記機体フレーム２・３の少なくとも一部である前フレーム２ａ・３ａに対して全ての播種ユニット１７を同時に傾倒可能な播種深さ調節機構６４を設けたので、全ての播種ユニット１７に備えた作条爪１５も同時に傾倒させ、播種深さである深さ６９・７０を一括して変更することができ、播種機１の対応条数が多くなっても、播種深さ調節作業に手間や時間がかからず、播種作業の作業性が悪化しない。
【００４１】
更に、前記機体フレーム２・３は、前記駆動ローラ５を支承する前フレーム２ａ・３ａと前記鎮圧ローラ６を支承する後フレーム２ｂ・３ｂとに前後二分割し、該後フレーム２ｂ・３ｂと前記前フレーム２ａ・３ａとは、連結軸４Ｌ・４Ｒを中心にして上下に屈曲可能に連結すると共に、前記前フレーム２ａ・３ａまたは後フレーム２ｂ・３ｂの一方のみに、全ての播種ユニット１７を支持することにより、前記前フレーム２ａ・３ａと後フレーム２ｂ・３ｂとの成す屈曲角である角度６７を変更して、全ての播種ユニット１７を同時に傾倒可能とするので、各作条爪１５は、複数の部品から成る播種深さ調節機構を介することなく、機体フレーム２・３に対し、直接に、あるいは単一の部材である繰出ベース１３を介して、強固に連結することができ、たとえ、土壌や作条爪１５の状態などが悪くて、土壌から受ける抵抗の増大・不均一化などが起こっても、作条爪１５が偏移したり振動することがなく、播種深さ精度の低下を防止できる。
【００４２】
加えて、前記前フレーム２ａ・３ａと後フレーム２ｂ・３ｂのうちの一方のフレームの端部と他方のフレームの途中部との間に前記連結軸４Ｌ・４Ｒを介設すると共に、該連結軸４Ｌ・４Ｒから離間した位置で前フレーム２ａ・３ａと後フレーム２ｂ・３ｂ間の間隔を変更可能な深さ調節具２６を備えるので、一方のフレームの途中部と他方のフレームの端部との間に深さ調節具２６を設けるだけの簡単な構成で、屈曲角である角度６７を変更することができ、部品コストの削減と組立性の向上を図ることができる。しかも、支点である連結軸４Ｌ・４Ｒから離間して深さ調節具２６を備えることにより、腕の長さを長くしてモーメントを大きくすることができ、小さな操作力で深さ調節具を伸縮させて、播種深さ調節作業の作業負荷の軽減を図ることができる。
【００４３】
次に、このような播種深さ調節機構６４により作条爪１５と一緒に傾倒可能な播種装置１４について、その繰出構造、着脱構成、及び高さ設定を中心に、図１、図２、図４乃至図６により詳細に説明する。図１、図５に示すように、該播種装置１４は、上下が開口した種子ケース７３の下部開口に、後斜め下方から繰出ロール７４を挿嵌し、その上から、下繰出ケース９１を覆設して構成される。
【００４４】
このうち、前記種子ケース７３は、上面が蓋体９２で覆われ種子９３を蓄えるホッパ部７３ａと、該ホッパ部７３ａよりも下方にある上繰出ケース部７３ｂとから成り、該上繰出ケース部７３ｂと前記下繰出ケース９１とから、種子９３を所定量だけ繰り出すための前記繰出部１４ａが形成される。そして、該繰出部１４ａの前下端部に、左右一対の第一係止突部１４ｂ・１４ｂが左右外方に突設されると共に、繰出部１４ａの後下端部に、第二係止突部１４ｃが後方に突設されている。
【００４５】
前記繰出ロール７４には、その図示せぬ軸孔に前記繰出軸２４が回動不能に嵌合され、該繰出軸２４は、前記種子ケース７３の下部に穿孔した通し孔７３ｃに回動可能に挿通支持される。そして、該繰出軸２４の左端は、前記種子ケース７３から外部に突出され、その端部には、従動ギア７５が外嵌固定される。更に、前記繰出ロール７４の外周面には、凹部７４ａが周方向に略等間隔で形成されており、該凹部７４ａ内に前記種子９３が入り込むようにしている。
【００４６】
これにより、前記繰出ロール７４が矢印９４の方向に回転すると、前記ホッパ部７３ａ内から凹部７４ａ内に入り込んでいる種子９３が、該凹部７４ａ内に保持された状態で回転搬送される。この搬送途中では、図示せぬブラシにより、凹部７４ａから溢れた種子９３などが除去される。そして、該凹部７４ａ内の種子９３は、所定の落下位置まで搬送されると、前記下繰出ケース９１の下部に開口した繰出口９１ａより、前記繰出ベース１３内に繰り出されて落下する。
【００４７】
ここで、このような繰出構造を有する播種装置１４の播種装置着脱構造２７について説明する。図４、図５に示すように、該繰出ベース１３は、後方に開いた平面視Ｕ字状の切り欠き７６ａを後部に有する底板７６と、該底板７６の左右側縁から立設した左右一対の側板７７・７８と、左の側板７７の左外側面に複数のボルト８８によって締結固定されたギアケース７９とを有する。
【００４８】
このうち、前記側板７７・７８の前部には、左右方向に軸心を有するパイプ状の取付けボス部８７が固設され、該取付けボス部８７は、ノブネジ８６によって前支持バー１１に固定される。同様に、前記側板７７・７８の後端部には、後方に開いた凹部７７ａ・７８ａが形成され、該凹部７７ａ・７８ａが前記後支持バー１２に嵌合固定されており、これにより、繰出ベース１３が、前後の支持バー１１・１２を介して、前記後フレーム２ｂ・３ｂに支持される。
【００４９】
そして、前記側板７７・７８で前半部の内側面には、側面視で下に凸状の側方挟持板８３・８３が貼設固定されると共に、側板７７・７８で後半部の内側面には、平面視で後方に開いたＵ字状の固定部８１ａを介して上方挟持板８１が貼設固定されている。更に、前記底板７６の前後略中央には、矩形状の連通孔７６ｂが開口され、該連通孔７６ｂより前方の底板７６の上面７６ｃと、前記側方挟持板８３・８３の前下部の外周傾斜面８３ａ・８３ａとの間に、前挟持空間８９が設けられている。
【００５０】
一方、前記底板７６の後端部には、平面視で後方に開いたＹ字状の下方挟持板８０の後端が固設され、該下方挟持板８０の前部は、前斜め上方に延出された後、前記上方挟持板８１で固定部８１ａよりも前方にある上水平部８１ｂの直下に達すると、再び水平に戻されて下水平部８０ａとなる。そして、該下水平部８０ａと前記上水平部８１ｂとの間に、後挟持空間９０が設けられている。
【００５１】
前記ギアケース７９は、前記左の側板７７の左側面から左方に膨出すると共に、該ギアケース７９は、その後端部を除いて上部が開口されており、前記播種装置１４の左方に設けた前記従動ギア７５を、上方から上部開口７９ａを通ってギアケース７９内に挿入できるようにしている。
【００５２】
一方、ギアケース７９で上部が閉口された後端部には、その内部空間に駆動ギア８２が収納されており、該駆動ギア８２は、前記ギアケース７９内で前記従動ギア７５と噛合可能な位置において、前記入力軸２３に外嵌固定されている。
【００５３】
このような播種装置着脱構造２７を用いて繰出ベース１３への播種装置１４の取り付け作業を行う際には、第一係止突部１４ｂ・１４ｂが、前記繰出ベース１３の左右の側板７７・７８間で、側方挟持板８３・８３よりも前方の空間にくるように、播種装置１４を移動させる。続いて、第一係止突部１４ｂ・１４ｂをそのまま矢印９７の方向に水平移動させることにより、繰出部１４ａ側の第一係止突部１４ｂ・１４ｂを、それぞれ繰出ベース１３側の前挟持空間８９・８９内に嵌入させると共に、繰出部１４ａ側の第二係止突部１４ｃも、繰出ベース１３側の後挟持空間９０内に嵌入させることができ、これにより、播種装置１４の繰出部１４ａが、その前後において繰出ベース１３に支持固定される。この際、第二係止突部１４ｃには、図示せぬ孔が上下方向に穿孔されており、該孔に、前記下方挟持板８０の下水平部８０ａの上面に設けた図示せぬ凸部が、下方挟持板８０の弾性力によって下方から係合されるようにしている。なお、播種装置１４の取り外し作業を行う際には、下方挟持板８０を押し下げることにより、凸部を孔から容易に脱着させることができる。
【００５４】
同時に、繰出部１４ａ側の従動ギア７５は、前記ギアケース７９内に挿入され、該ギアケース７９内で前記駆動ギア８２に噛合され、これにより、図１に示す前記動力伝達経路１８を介して入力軸２３に伝達されてきた鎮圧ローラ６からの回転動力が、小径の駆動ギア８２と大径の従動ギア７５とから成る伝達経路を介して、前記繰出軸２４に伝達される。
【００５５】
このようにして、繰出ベース１３への繰出部１４ａの取り付けと動力伝達経路１８への繰出部１４ａの動力接続とを同時に行う第一操作が可能となる。前記繰出ベース１３からの繰出部１４ａの取り外しと動力伝達経路１８からの繰出部１４ａの動力切断とを同時に行う第二操作については、前述の手順を逆にすることにより実施することができる。
【００５６】
すなわち、前記播種装置１４と、該播種装置１４の繰出部１４ａを前記機体フレーム２・３に取り付ける繰出ベース１３との間には、該繰出ベース１３への繰出部１４ａの取り付けと動力伝達経路１８への繰出部１４ａの動力接続とを同時に行う第一操作、または前記繰出ベース１３からの繰出部１４ａの取り外しと動力伝達経路１８からの繰出部１４ａの動力切断とを同時に行う第二操作を実施する播種装置着脱構造２７を介設するので、該播種装置着脱構造２７により、播種機１に備えた全ての播種装置１４を短時間で着脱することができ、メンテナンス性が向上する。なお、この播種装置着脱構造２７により、一条用の播種機においても、播種装置１４を迅速に取り付けることができる。
【００５７】
更に、前記播種装置着脱構造２７において、前記繰出部１４ａ側に、前記播種装置１４を駆動する繰出軸２４に嵌合する従動ギア７５と、複数の係止部である第一係止突部１４ｂ・１４ｂ、第二係止突部１４ｃとを備え、前記繰出ベース１３側に、取り付け状態で前記従動ギア７５と噛合する駆動ギア８２と、前記第一係止突部１４ｂ・１４ｂ、第二係止突部１４ｃを挟持する挟持体である側方挟持板８３・８３、下方挟持板８０、上方挟持板８１とを備えるので、播種装置着脱構造２７を簡単な構成で設けることができ、部品コストの削減と組立性の向上を図ることができる。
【００５８】
また、以上のようにして機体フレーム２・３に取付けた状態で種子９３を繰り出す播種装置１４において、その高さを予め低位置に設定可能な低位置支持構造１１６について説明する。なお、左右の機体フレーム２・３は略同一の構造であるため、左の機体フレーム２について説明し、右の機体フレーム３についての説明は省略する。
【００５９】
図１、図２，図６に示すように、該低位置支持構造１１６においては、前記後フレーム２ｂは、前記鎮圧ローラ６を支承する支承部２ｂ２から後方に略水平に延出される後水平部１１３と、逆に支承部２ｂ２から播種装置１４に向かって前斜め下方に傾斜する前傾部１１２と、該前傾部１１２の前端から前方に略水平に延出される前水平部１１１とから構成される。
【００６０】
そして、このうちの前水平部１１１と前傾部１１２に、それぞれ前記前支持バー１１と後支持バー１２が支持され、該前支持バー１１と後支持バー１２には、前述の如く、前記播種装置１４を搭載した繰出ベース１３の前後が係止されている。
【００６１】
従って、前記前支持バー１１と後支持バー１２が、前記前傾部１１２から後水平部１１３にかけた部分に支持される場合と比べ、播種装置１４は、最大で、前傾部１１２の前端と後端との高低差１１４の分だけ、低位置に支持されている。
【００６２】
一方、前記前フレーム２ａについては、前記駆動ローラ５を支承する支承部２ａ２から前後方向に略水平に延出される水平部１１５と、該水平部１１５の後端から上方に凸状に屈曲形成される前記曲がり部２ａ１とから構成される。そして、該曲がり部２ａ１の後端は、前記支承部２ａ２・２ｂ２のいずれとも略同じ高さに設定されている。従って、前フレーム２ａには、後フレーム２ｂの前傾部１１２のように、支承部２ａ２から播種装置１４に向かって前斜め下方に傾斜する傾斜部は設けられていない。
【００６３】
なお、前記後フレーム２ｂの前水平部１１１の前後略中央から上方に前突出部２ｂ３が突出され、その突出端に前記連結軸４Ｌが設けられ、該連結軸４Ｌに前記曲がり部２ａ１の後端が連結されており、前フレーム２ａと、後フレーム２ｂで播種装置１４を支持する前水平部１１１とを、上下２段に離間して配置するようにしている。これにより、前記深さ調節具２６の配置空間を上下方向に拡大し、播種機１の組み立て性、メンテナンス性の向上を図ることができる。
【００６４】
また、このようにして、低位置支持構造１１６により圃場面１１０近傍に支持された播種装置１４と一緒に、前記作条爪１５も圃場面１１０近傍に支持されている。図４、図５に示すように、該作条爪１５は、正面視で下方に向かって先細り形状に突出するＶ字状の作溝部１５ａと、該作溝部１５ａから二股状に後方に開いた左右一対の側板部１５ｂ・１５ｃとから構成される。ここで、前記作溝部１５ａは、下縁が閉塞された部分（以下、「閉塞下縁」とする。）が後ろ斜め下方に傾斜配置された前閉塞下縁１５ａ１と、該前閉塞下縁１５ａ１よりも傾斜角の小さい後閉塞下縁１５ａ２とから構成し、該閉塞下縁１５ａ１・１５ａ２が、前記圃場面１１０に対して徐々に切り込めるようにしている。
【００６５】
そして、播種装置１４の下方において、この作条爪１５の上面が、前記繰出ベース１３の底板７６の下面に固設されると共に、該底板７６の連通孔７６ｂの直下方に、前記左右の側板部１５ｂ・１５ｃ間の空間が配置されており、連通孔７６ｂが作条爪１５内を通って播種溝に連通されている。これにより、前記播種装置１４から繰り出された種子９３は、連通孔７６ｂから最短距離で播種溝内に到達することができる。
【００６６】
更に、繰出部１４ａの下面は、繰出ベース１３の底板７６上に載置された状態にあり、繰出部１４ａの前記繰出口９１ａは、前記連通孔７６ｂの直上に、対向するようにして近接配置されている。これにより、前記播種装置１４から繰り出された種子９３は、筒体などのガイド部材を介することなく、繰出口９１ａからそのまま連通孔７６ｂに到達することができる。
【００６７】
従って、該播種装置１４の繰出口９１ａと播種溝との間には、ほとんど作条爪１５のみが介在し、前記繰出口９１ａから播種溝までの落下距離を、作条爪１５の上下厚さの分だけに抑えることができるのである。
【００６８】
更に、前記繰出口９１ａから連通孔７６ｂまでの空間の周囲は、前記繰出ベース１３の左右一対の側板７７・７８によって覆われている。これにより、種子９３が繰出口９１ａから連通孔７６ｂ内を通過する間に、外部から吹き込む横風や泥土などによって飛散されないようにしている。
【００６９】
加えて、前記作条爪１５は、前述の如く、正面視で下方に向かって先細り形状に突出するＶ字状の作溝部１５ａを有する。これにより、該作溝部１５ａで形成する播種溝もＶ字状に形成することができ、該播種溝の底幅を繰出ロール７４の長さと同程度にして溝の傾斜を急にし、種子９３が播種溝内を左右に転動できないようにしている。
【００７０】
なお、前記側板部１５ｂ・１５ｃの後部には支持ピン８５が横架され、該支持ピン８５には、覆土アーム９５の前端が前後揺動可能に連結され、該覆土アーム９５の後端に、前記覆土板１６が前後回動可能に支持されている。そして、前記側板部１５ｂ・１５ｃと覆土アーム９５との間には、前記支持ピン８５に巻回された付勢バネ８４が介設されており、該付勢バネ８４の弾性力によって、覆土アーム９５に支持された覆土板１６を下方に常時付勢状態としている。
【００７１】
すなわち、前後に前輪である駆動ローラ５と後輪である鎮圧ローラ６を支承した機体フレーム２・３に播種装置１４と作溝具である作条爪１５とを設けた播種機１において、前記播種装置１４を低位置で支持する低位置支持構造１１６を備えると共に、前記作条爪１５の直上方に、該作条爪１５内を通って播種溝に連通する開口である連通孔７６ｂを設け、該連通孔７６ｂの直上近接空間に前記播種装置１４からの種子９３の繰出口９１ａを配置したので、圃場面１１０近傍に播種装置１４を支持した上で、該播種装置１４の繰出口９１ａと播種溝との間に作条爪１５のみを介在させるようにして、前記繰出口９１ａから播種溝内までの落下距離を大幅に短縮することができる。これにより、種子９３が播種溝内に衝突する際の反動を小さくし、該反動による種子９３の周囲への転動を防止することができ、点播のように高い播種精度が要求される播種作業にも十分に対応できる。更に、この種子転動防止に加え、繰出口９１ａと播種溝との間のガイド部材を不要にして、部品コストの低減やメンテナンス性の向上を図ることができる。
【００７２】
更に、前記低位置支持構造１１６は、前記機体フレーム２・３において、前輪支承部である支承部２ａ２・３ａ２と後輪支承部である支承部２ｂ２・３ｂ２のうち、該支承部２ｂ２・３ｂ２から播種装置１４に向かって下方に傾斜する傾斜部である前傾部１１２と、該前傾部１１２に略水平に連設する前水平部１１１とを有し、該水平部１１１の一部と連結した前支持バー１１に前記播種装置１４を支持するので、機体フレーム２・３の形状を変更するだけで播種装置１４を圃場面１１０近傍の低位置で支持することができ、低位置支持のための部材を別途に設ける必要がなく、部品コストの低減とメンテナンス性の向上を更に図ることができる。
【００７３】
加えて、前記繰出口９１ａから開口である連通孔７６ｂにかけて、側面カバー部材として繰出ベース１３の側板７７・７８を設けるので、繰出口９１ａから連通孔７６ｂまで落下中の種子９３が、外部から吹き込む横風や泥土などによって飛散するのを防止することができ、所定量の種子９３が播種溝内に確実に導入され、播種精度が更に向上する。
【００７４】
更に、前記作溝具である作条爪１５には、側面視で後ろ斜め下方へ延びる閉塞下縁１５ａ１・１５ａ２を設けた正面視Ｖ字状の作溝部１５ａを設けるので、作溝部１５ａを正面視Ｖ字状とすることにより、播種溝の底部を狭幅に形成することができる。これにより、該播種溝内での種子９３の左右方向への転動を確実に防止して、播種精度が更に向上する。また、正面視Ｖ字状であることから、作溝部１５ａの上部ほど左右外方に張り出しており、しかも、側面視で後ろ斜め下方へ延びることから、閉塞下縁１５ａ１・１５ａ２は圃場面１１０に徐々に切り込んでいくため、播種溝からの排出土は、上昇することなく左右外方に向かって円滑に押し出される。これにより、側面視で後ろ斜め上方に延びる閉塞前縁によって作溝する従来の作溝具と比べ、作溝に伴う土の上昇流を抑制することができ、前記繰出部１４ａや開口である連通孔７６ｂが排出土によって閉塞するのを防止して、播種作業の作業性が向上する。
【００７５】
加えて、前記作溝部１５ａからは、左右一対の側板部１５ｂ・１５ｃを後方に二股状に開き、該側板部１５ｂ・１５ｃに、下方へ付勢状態にある覆土部材である覆土板１６を支持するので、該覆土板１６を支持するための支持部材を別途に設ける必要がなく、該支持部材の設置空間を省略することができ、より低位置で前記播種装置１４を支持し、前記繰出口９１ａから播種溝内までの落下距離を一層短縮することができる。更に、覆土板１６を下方へ付勢状態とすることにより、覆土効果も高めることができる。
【００７６】
次に、以上のような播種機１とは別形態の播種機１Ａについて、図７乃至図１１により、以下に説明する。なお、前記播種機１と同様な部品・構成については、同じ符号を用いると共に詳細な説明は省略する。
【００７７】
該播種機１Ａは、前記播種機１とは異なり一条用であって、前記播種ユニット１７は１個しかないため、機体が軽くて押し操作が容易であり、播種深さの調節や播種装置１４の着脱にも手間がかからないことから、前述した、走行モータ３７・モータスイッチ３３などから成る電動アシスト機構、補助ハンドル２５、及び播種深さ調節機構６４は省かれている。
【００７８】
まず、この播種機１Ａの全体構成について説明する。図７、図８に示すように、播種機１Ａには、前後方向の機体フレーム１２１・１２２が左右に並列されると共に、該機体フレーム１２１・１２２の前部間に接地ローラ１２３のローラ軸１２５が支承される一方、機体フレーム１２１・１２２の後部間に鎮圧ローラ１２４のローラ軸１２６が支承されている。
【００７９】
更に、前記機体フレーム１２１・１２２間において、前記接地ローラ１２３の後方と鎮圧ローラ１２４の前方には、それぞれ前連結板１２７と後連結板１２８とが架設され、このうちの前連結板１２７の前端部からは、途中で下方に屈曲した泥落とし用の前スクレイパー１２９が、前記接地ローラ１２３の後部外周面に向かって突出される。同様に、前記鎮圧ローラ１２４の後方にも、泥落とし用の後スクレイパー１３０が、鎮圧ローラ１２４の後部外周面に向かって突出されている。
【００８０】
そして、前記前連結板１２７の後方には、後述する播種装置着脱構造１３１を介して、前記播種装置１４が支持され、前連結板１２７の下方に、後述する作条爪支持構造１３２を介して、後方に覆土板１６を支持した前記作条爪１５が支持されており、これら播種装置１４、作条爪１５、及び覆土板１６等により、播種ユニット１７Ａが構成される。
【００８１】
更に、該播種ユニット１７Ａと前記後連結板１２８との間において、前記機体フレーム１２１・１２２からは、正面視門型のハンドルアーム１３３が後斜め上方に立設され、該ハンドルアーム１３３は、ボルト１３９によって連結された上下のアーム部材１３４・１３５から構成される。そして、このうちの下アーム部材１３５の下部は、機体フレーム１２１・１２２と、該機体フレーム１２１・１２２より立設される連結部材１３６とに、それぞれボルト１３７・１３８により締結されており、該ボルト１３８が挿通する前記下アーム部材１３５側の長孔１３５ａを、このボルト１３８に沿って摺動させることにより、前記ハンドルアーム１３３を所定の前後傾斜角に調節できるようにしている。
【００８２】
また、前記右の機体フレーム１２２の前半部の外面には伝動ケース１４０が固設され、該伝動ケース１４０内の前部に前記ローラ軸１２５の右端が貫入され、該右端にスプロケット１４１が外嵌固定される。同様に、前記伝動ケース１４０内の後部には、前記播種装置１４の繰出軸２４に連結される入力軸１４４の右端が貫入され、該右端にスプロケット１４２が外嵌固定されており、該スプロケット１４２と前記スプロケット１４１との間に、チェーン１４３が巻回されている。
【００８３】
これにより、播種機１Ａが進行すると、接地ローラ１２３が回転し、該接地ローラ１２３の回転動力が、ローラ軸１２５、スプロケット１４１、チェーン１４３、スプロケット１４２から入力軸１４４に伝達され、該入力軸１４４に連結された繰出軸２４が駆動されて、播種装置１４から圃場面１１０に種子９３が繰り出されるようにしている。
【００８４】
続いて、播種ユニット１７Ａを機体フレーム１２１・１２２に支持する前記播種装置着脱構造１３１と作条爪支持構造１３２について説明する。図８乃至図１０に示すように、前記播種装置着脱構造１３１は、前記繰出部１４ａ側の第二係止突部１４ｃと、該第二係止突部１４ｃを挟持して機体フレーム１２１・１２２に取り付ける挟持体１４６とを備える。
【００８５】
該挟持体１４６は、前記右の機体フレーム１２２と前連結板１２７との間にボルト１５０により締結固定される本体１４７と、該本体１４７に右端基部がリベット１４９により固定されて左方に延出する板状の弾性体である挟持バネ１４８とから構成される。そして、前記本体１４７には、下方に垂下して再び左方水平に伸びる段差部１４７ａが形成されており、該段差部１４７ａと前記挟持バネ１４８との間に、挟持空間１５１が設けられる。
【００８６】
このような構成において、前記第二係止突部１４ｃが前記挟持空間１５１の左側にくるように、播種装置１４を移動させ、そのまま、右方に水平移動させると、第二係止突部１４ｃを挟持空間１５１内に嵌入させることができ、これにより、播種装置１４の繰出部１４ａが、その前部において挟持バネ１４８の弾性力と、図示せぬ挟持バネ１４８の凸部と第二係止突部１４ｃの上下貫通孔との嵌合とにより、左の機体フレーム１２２に挟持支持される。なお、第二係止突部１４ｃを左方に水平移動させることにより、挟持体１４６からの繰出部１４ａの取り外しを行うことができる。
【００８７】
また、作条爪支持構造１３２においては、前記前連結板１２７の後部上面からロッド支持体１５２が立設され、該ロッド支持体１５２内には、下端に作条爪１５を支持する支持ロッド１５３が上下摺動可能に挿通されている。
【００８８】
更に、前記ロッド支持体１５２には、ボルト１５４が前方から螺挿されており、該ボルト１５４の螺挿進行に伴ってボルト１５４の後端を前記支持ロッド１５３の前面に押圧することにより、支持ロッド１５３をロッド支持体１５２に締結固定できるようにしている。
【００８９】
これにより、ボルト１５４を緩めて支持ロッド１５３を昇降させた後、再びボルト１５４を締めることにより、支持ロッド１５３の上下位置をボルト１５４により所定位置に固定することができ、支持ロッド１５３下端の作条爪１５を昇降させて播種深さを変更することができる。
【００９０】
続いて、以上のようにして機体フレーム１２１・１２２に取付ける播種装置１４において、その高さを予め低位置に設定可能な低位置支持構造１４５について説明する。図７、図８、図１１に示すように、該低位置支持構造１４５においては、左の機体フレーム１２１は、前記鎮圧ローラ１２４を支承する支承部１２１ｂから後方に略水平に延出される後水平部１５５と、逆に支承部１２１ｂから播種装置１４に向かって前斜め下方に傾斜する前傾部１５６と、該前傾部１５６の前端から前方に略水平に延出される前水平部１５７と、前記接地ローラ１２３を支承する支承部１２１ａから播種装置１４に向かって後斜め下方に傾斜する後傾部１５８とから構成される。
【００９１】
そして、このうちの前水平部１５７に、前記播種装置着脱構造１３１と作条爪支持構造１３２を介して、播種装置１４と作条爪１５が支持されており、機体フレーム１２１で前水平部１５７以外の部分に支持される場合と比べ、播種装置１４は、最大で、後傾部１５８の前端と後端との高低差１５９の分だけ、低位置に支持されている。
【００９２】
また、このようにして、低位置支持構造１４５により圃場面１１０近傍に支持された播種装置１４と一緒に、作条爪１５も圃場面１１０近傍に支持されている。図９、図１０に示すように、該作条爪１５の前半部の上部は、取付板１６０によって閉塞されると共に、該取付板１６０を介して前記支持ロッド１５３の下端に固設されている。一方、作条爪１５の後半部の上部は開口されたままであり、該上部開口１５ｄが作条爪１５内を通って播種溝に連通されている。これにより、前記播種装置１４から繰り出された種子９３は、上部開口１５ｄから最短距離で播種溝内に到達することができる。
【００９３】
更に、繰出部１４ａの下面は、前記作条爪支持構造１３２により、前記上部開口１５ｄの直上に、対向するようにして近接配置されている。これにより、前記播種装置１４から繰り出された種子９３は、筒体などのガイド部材を介することなく、繰出口９１ａからそのまま上部開口１５ｄに到達することができる。
【００９４】
従って、前記播種機１の場合と同様に、播種装置１４の繰出口９１ａと播種溝との間には、ほとんど作条爪１５のみが介在し、前記繰出口９１ａから播種溝までの落下距離を、作条爪１５の上下厚さの分だけに抑えることができるのである。
【００９５】
なお、該作条爪１５から前記繰出口９１ａにかけて、下方から筒状のフード１６１を挿入するようにしてもよい。これにより、前記播種機１の繰出ベース１３と同様に、前記繰出口９１ａから上部開口１５ｄまでの空間の周囲を覆い、種子９３が繰出口９１ａから上部開口１５ｄ内を通過する間に、外部から吹き込む横風や泥土などによって飛散されないようにできる。
【００９６】
すなわち、前後に前輪である接地ローラ１２３と後輪である鎮圧ローラ１２４を支承した機体フレーム１２１・１２２に播種装置１４と作溝具である作条爪１５とを設けた播種機１Ａにおいても、前記播種装置１４を低位置で支持する低位置支持構造１４５を備えると共に、前記作条爪１５の上部に、該作条爪１５内を通って播種溝に連通する開口である上部開口１５ｄを設け、該上部開口１５ｄの直上近接空間に前記播種装置１４からの種子９３の繰出口９１ａを配置したので、圃場面１１０近傍に播種装置１４を支持した上で、該播種装置１４の繰出口９１ａと播種溝との間に作条爪１５のみを介在させるようにして、前記繰出口９１ａから播種溝内までの落下距離を大幅に短縮することができる。これにより、種子９３が播種溝内に衝突する際の反動を小さくし、該反動による種子９３の周囲への転動を防止することができ、点播のように高い播種精度が要求される播種作業にも十分に対応できる。更に、この種子転動防止に加え、繰出口９１ａと播種溝との間のガイド部材を不要にして、部品コストの低減やメンテナンス性の向上を図ることができる。
【００９７】
更に、前記低位置支持構造１４５は、前記機体フレーム１２１・１２２において、前輪支承部である支承部１２１ａと後輪支承部である支承部１２１ｂの両方から播種装置１４に向かって下方に傾斜する傾斜部である後傾部１５８及び前傾部１５６と、該後傾部１５８及び前傾部１５６に略水平に連設する水平部である前水平部１５７とを有し、該前水平部１５７に前記播種装置１４を支持するので、機体フレーム１２１・１２２の形状を変更するだけで播種装置１４を圃場面１１０近傍の低位置で支持することができ、低位置支持のための部材を別途に設ける必要がなく、部品コストの低減とメンテナンス性の向上を更に図ることができる。
【００９８】
加えて、前記繰出口９１ａから開口である上部開口１５ｄにかけて、側面カバー部材としてフード１６１を設けるので、繰出口９１ａから上部開口１５ｄまで落下中の種子９３が、外部から吹き込む横風や泥土などによって飛散するのを防止することができ、所定量の種子９３が播種溝内に確実に導入され、播種精度が更に向上する。
【産業上の利用可能性】
【００９９】
本発明は、前後に前輪と後輪を支承した機体フレームに播種装置と作溝具とを設けた、全ての播種機に適用することができる。
【符号の説明】
【０１００】
１・１Ａ  播種機
２・３・１２１・１２２  機体フレーム
２ａ２・３ａ２・１２１ａ  支承部（前輪支承部）
２ｂ２・３ｂ２・１２１ｂ  支承部（後輪支承部）
５  駆動ローラ（前輪）
６・１２４  鎮圧ローラ（後輪）
１１  前支持バー（水平部の少なくとも一部）
１４  播種装置
１５  作条爪（作溝具）
１５ａ  作溝部
１５ａ１・１５ａ２  閉塞下縁
１５ｂ・１５ｃ  側板部
１５ｄ  上部開口（開口）
１６  覆土板（覆土部材）
７６ｂ  連通孔（開口）
７７・７８  側板（側面カバー部材）
９１ａ  繰出口
９３  種子
１１１・１５７  前水平部（水平部）
１１２・１５６  前傾部（傾斜部）
１１６・１４５  低位置支持構造
１２３  接地ローラ（前輪）
１５８  後傾部（傾斜部）
１６１  フード（側面カバー部材）
【図１】
0005828148.tif 000002
【図２】
0005828148.tif 000003
【図３】
0005828148.tif 000004
【図４】
0005828148.tif 000005
【図５】
0005828148.tif 000006
【図６】
0005828148.tif 000007
【図７】
0005828148.tif 000008
【図８】
0005828148.tif 000009
【図９】
0005828148.tif 000010
【図１０】
0005828148.tif 000011
【図１１】
0005828148.tif 000012